(57)【要約】【課題】  水槽内の水を、サイフォン作用により吸い上げてその外へ取り出すようにした水槽内の貯溜水の取出装置であり、取出容器内に吸い上げた水槽内の貯留水を水槽外へ連続して取り出すことができ、栓体を取出容器から抜き取っても導水パイプから水が外部に漏れ出ることがない。【解決手段】  取出容器１を外部から押圧し、またそれを解除することで、水槽Ｔ内の水をサイフォン作用で取出容器１内に回収するものにおいて、取出容器１の出入口３を閉じる栓体５に止水操作手段２５を開閉可能に設け、導水パイプ１０を取出容器１から外したとき、導水パイプ１０を止水操作手段２５により閉じる。【選択図】      図２
2009060796.tif 000002
【特許請求の範囲】
【請求項１】
水容器（Ｔ）内の貯留液体を吸い上げて外へ取り出すようにした、水容器内の貯留水取出装置であって、
外部から外力を加えることにより弾性変形可能であり収容容量を無段に可変とするボトル状の取出容器（１）と、この取出容器（１）の出入口（３）を水密に着脱自在に封緘する栓体（５）と、開口自由端を水容器（Ｔ）内の貯留水内に進入させる吸上パイプ（２０）と、一端部が前記栓体（５）を貫通して前記取出容器（１）内に開口され、他端部が前記吸上パイプ（２０）に連通接続される可撓性の導水パイプ（１０）と、前記栓体（５）に設けられて取出容器（１）の上部のエア室（９）を外部に連通するエアパイプ（１２）とを備え、
前記栓体（５）には、前記導水パイプ（１０）の途中を閉じてその導水パイプ（１０）内の液体の流れを止める止水操作手段（２５）が設けられることを特徴とする水容器内の貯留水取出装置。
【請求項２】
前記止水操作手段（２５）は、前記栓体（５）の上部に開閉可能に軸支されるレバー部材（２６）を備え、該レバー部材（２６）は、その一端部に前記導水パイプ（１０）を閉塞し得る止水部（２６Ａ）が設けられると共にその他端部に操作ノブ（２８）が設けられ、この操作ノブ（２８）を栓体（５）に係止することにより、前記レバー部材を閉じ位置に保持し、前記止水部により導水パイプ（１０）を閉塞するようにしたことを特徴とする、前記請求項１記載の水容器内の貯留水取出装置。
【請求項３】
水容器（Ｔ）は、観賞魚の飼育用水槽であることを特徴とする、前記請求項１または２記載の水容器内の貯留水取出装置。
【発明の詳細な説明】
【技術分野】
【０００１】
本発明は、観賞魚用水槽などの水容器内の貯留水を吸い上げて外へ取り出すようにした、水容器内の貯留水取出装置に関する。
【背景技術】
【０００２】
定置されている水容器、たとえば観賞魚用水槽内の貯留水の水替えを行なうべく、その貯留水をサイフォン作用により吸い上げて外部に取り出すようにした、水の取出装置は下記特許文献１により従来より公知である。
【特許文献１】特開２０００−２０９９７８号公報
【発明の開示】
【発明が解決しようとする課題】
【０００３】
ところで、前記特許文献１に開示される水の取出装置は、吸上パイプＰと、これに接続される可撓性の導水パイプ１７と、吸上パイプＰ内に設けられて吸上パイプＰから導水パイプ１７への水の流れを許容する第１および第２の一方向弁Ｖ1 ，Ｖ2 とを備え、水槽Ｔ内の水をサイフォン作用を利用して容器の外へ取り出すようにしている。
【０００４】
ところが、このものでは、吸上パイプ内に複数の一方向弁が設けられることから、吸上パイプ内を流れる水に混入する汚物が、前記一方向弁に付着して、その作動不良を起こすことがあるという問題があり、また、このものでは、サイフォン作用により水の吸上作用を成立させるために、水槽内に進入させた吸上パイプの長手方向の往復作動を、複数回繰り返す必要があり、その操作が面倒であるばかりでなく多少の経験が必要であるという他の問題もある。
【０００５】
本発明は、前記水槽などの水容器を定置したまま、貯留水をサイフォン作用を利用して吸い上げて簡単容易に、取り出すことができ、また、水の取出作業中に、水が外部に漏れることがないようにした、新規な水容器内の貯留水取出装置を提供することを目的とする。
【課題を解決するための手段】
【０００６】
前記目的達成のため、本請求項１の発明は、水容器内の貯留水を吸い上げて外へ取り出すようにした、水容器内の貯留水取出装置であって、
外部から外力を加えることにより弾性変形可能であり収容容量を無段に可変とするボトル状の取出容器と、この取出容器の出入口を水密に着脱自在に封緘する栓体と、開口自由端を水容器内の貯留水内に進入させる吸上パイプと、一端部が前記栓体を貫通して前記取出容器内に開口され、他端部が前記吸上パイプに連通接続される可撓性の導水パイプと、前記栓体に設けられて取出容器の上部のエア室を外部に連通するエアパイプとを備え、前記栓体には、前記導水パイプの途中を閉じてその導水パイプ内の水の流れを止める止水操作手段が設けられることを特徴としている。
【０００７】
前記目的達成のため、本請求項２の発明は、前記請求項１のものにおいて、前記止水操作手段は、前記栓体の上部に開閉可能に軸支されるレバー部材を備え、該レバー部材は、その一端部に前記導水パイプを閉塞し得る止水部が設けられると共にその他端部に操作ノブが設けられ、この操作ノブを栓体に係止することにより、前記レバー部材を閉じ位置に保持し、前記止水部により導水パイプを閉塞するようにしたことを特徴としている。
【０００８】
前記目的達成のため、本請求項３の発明は、前記請求項１または２記載のものにおいて、水容器は、前記水容器は観賞魚の飼育用水槽であることを特徴としている。
【発明の効果】
【０００９】
請求項各項の発明によれば、前記水槽などの水容器を定置したまま、貯留水をサイフォン作用を利用して吸い上げて簡単容易に取り出すことができ、また、水の取出作業中に、水が外部に漏れることがない。
【００１０】
また、請求項２の発明によれば、導水パイプの止水操作をレバー部材の開閉により行なうことができ、操作性が良いばかりでなく前記操作を的確に行なうことができる。
【００１１】
さらに、請求項３の発明によれば、観賞魚用水槽の水替え作業を簡単に行なうことができる。
【発明を実施するための最良の形態】
【００１２】
以下、本発明の実施の形態を添付図面に示した本発明の実施例に基づいて説明する。
【００１３】
この実施例は、本発明貯留水取出装置を、観賞魚用水槽内の貯留水の取出装置に実施した場合であって、図１は、水槽内の貯留水の取出装置の全体側面図、図２は、図１の２矢視仮想線囲い部分の拡大断面図、図３は、図１の３矢視仮想線囲い部分の拡大断面、図４は、図２の４−４線に沿う断面図、図５は、図２の５−５線に沿う断面図、図６は、図２の６−６線に沿う断面図、図７は、図２の７−７線に沿う断面図、図８は、貯留水の取出装置を水槽にセットした状態を示す図、図９は、水槽内の貯留水の取出装置の作用図、図１０は、水容器内に水が満杯になったときの貯留水の取出装置の部分断面図、図１１は、導水パイプを閉じた状態を示す水槽内清掃具の部分断面図、図１２は、図１１の１２−１２線に沿う断面図、図１３は、図１１の１３−１３線に沿う断面図、図１４は、栓体を取出容器から抜き取った状態を示す図である。
【００１４】
本発明は、水容器としての水槽Ｔの外に配置される取出容器１と、水槽Ｔ内に先端部分が水槽Ｔ内に差し込まれる吸上パイプ２０と、取出容器１と吸上パイプ２０とを接続する導水パイプ１０と、取出容器１上部のエア室９を外気に連通するエアパイプ１２と、前記取出容器１の出入口３を閉じる栓体５と、必要に応じて前記導水パイプ１０の途中を閉じて、その導水パイプ１０内を流れる水を止める止水操作部材２５を備えている。
【００１５】
まず、図１，２および図８，９を参照して、水槽Ｔ内から取り出した水を貯める取出容器１の構造について説明するに、この取出容器１は、透明の柔軟な合成樹脂材によりボトル状に形成されており、その主体部を構成する胴部分２は、薄く形成されていて、外部から押圧力を加えることにより容易に弾性変形し、またその押圧力を解除すれば直ちに元の状態に復元できるように構成されている。そして、この密閉状の取出容器１は、その胴部２を外部からの押圧することで、内方に弾性変形したのち、前記押圧の解除により元の位置に復元するポンプ作用で内部に水を吸引できるようにされている。
【００１６】
図２に明瞭に示すように、取出容器１の上部は逆漏斗状に形成されていてその上端中央に円筒状の出入口３が設けられる。この出入口３の外周面には、雄ねじ３Ａが形成されており、この雄ねじ３Ａに図示しないキャップを螺着することにより、通常のボトルと同じように出入口３を閉じることができるようにされている。
【００１７】
前記出入口３には、栓体５が抜差自在に差し込まれて水密に閉じられる。この栓体５は、合成樹脂材により細長い中空の円筒状に形成され、この実施例では上部分５Ｕと下部分５Ｄとを印籠嵌合して構成されており、その上端には、後述する止水操作部材２５の止水部２６Ａと対向するように支持壁４が一体に形成され、また栓体５の上部分５Ｕおよび下部分５Ｄ内の中間部には、隔壁６，７がそれぞれ形成されている。
【００１８】
なお、この栓体５は全体を一体に形成してもよい。
【００１９】
栓体５の下部分５Ｄの外周面は、出入口３の内周面に密に挿嵌されて、出入口３を水密に閉じる。
【００２０】
図１，２に示すように、前記栓体５内には、導水パイプ１０の下部が挿通されている。この導水パイプ１０は、前記支持壁４および隔壁６，７によって横方向に位置がずれないように栓体３により支持され、その下端は取出容器１の上部に連通される。また、この導水パイプ１０は、栓体５の上端より上方に延長されて後述する吸上パイプ２０の基部に接続される。前記隔壁７には、導水パイプ１０よりも小径の接続パイプ８が一体の貫通されており、この接続パイプ８の下端は、取出容器１内の上部のエア室９に連通されている。また、接続パイプ８の上部には、前記導水パイプ１０よりも小径であり、外気に開口されるエアパイプ１２の下端が接続されている。取出容器１内上部のエア室９は、このエアパイプ１２を通して大気に連通される。
【００２１】
図２，４，５に示すように、栓体５内の隔壁７には、一対の棒状のガイド１４が一体に垂下されており、それらのガイド１４にフロート弁１６が昇降可能に支持されており、またガイド１４の下端には係止部１５が一体に形成され、フロート弁１６はその係止部１５に係合して下限位置に保持される（図４参照）。前記フロート弁１６は、フロート１７と、その上部に一体に設けた針弁１８とより構成され、取出容器１内の貯留水の水位が上昇すると、上昇して接続パイプ８すなわちエアパイプ１２を閉じるようにされている（図１０参照）。
【００２２】
つぎに、図１，３を参照して、前記吸上パイプ２０について説明する。
【００２３】
吸上パイプ２０は、透明な硬質の合成樹脂材により構成されて、その先端部を水槽Ｔの外から該水槽Ｔの貯留水内に進入可能であり、先端が開口された真っ直ぐな円筒状の本体部分２１と、その基端、すなわち下流端に抜差自在に水密に接続されるエルボ状の把手部分２２とよりなり、この把手部分２２は、エルボパイプ２２ａと直状パイプ２２ｂとを抜差自在に水密に接続して構成され、エルボパイプ２２ａの中間部は操作者が握り易いように、鈍角に屈曲されている。直状パイプ２２ｂの内端には、エルボパイプ２２ａ内に進入する小径部２２ｃが一体に形成されており、この小径部２２ｃの内周面にジョイント２３をもって導水パイプ１０の内端、すなわち上流端が抜差可能に接続される。ジョイント２３の外周面には先細りの雄テーパ面が形成され、一方、前記小径部２２ｃの内周面には、末広がりの雌テーパ面が形成されており、それらのテーパ面間に可撓性の導水パイプ１０の上流端を挟持接続することにより、その導水パイプ１０が吸上パイプ２０から抜け出さないようにされている。
【００２４】
前記導水パイプ１０は、塩化ビニールパイプなどよりなる、弾性のある可撓性透明なパイプより構成されており、その長さは水槽Ｔの高さよりも長く形成されていて、その上端（下流端）は、前述のように吸上パイプ２０に連通接続され、また、その下端（上流端）は、取出容器１の栓体５に連通接続される。
【００２５】
図２に示すように、前記栓体５の上部分５Ｕには、前記導水パイプ１０の途中を必要に応じて閉じる止水操作手段２５が設けられる。この止水操作部手段２５は、栓体５の長手方向に延びるレバー部材２６を備えており、このレバー部材２６の基端寄りの部分が、上部分５Ｕを跨ぐようにしてその上部分５Ｕに枢軸２７をもって開閉可能に枢支されている。このレバー部材２６は、その断面が円弧状をなしており、断面円形の栓体３の外面に重なり合うようにされている（図６参照）。レバー部材２６の基端（上端）には、栓体５上端の前記支持壁４と対向するように断面先鋭状の止水部２６Ａが一体に形成され、またレバー部材２６の先端（下端）部には、その長手方向の長孔よりなる取付孔２６Ｂが穿設されており、この取付孔２６Ｂに操作ノブ２８が取り付けられている。操作ノブ２８の軸部２８Ａは、取付孔２６Ｂに摺動可能に貫通しており、その先端にかぎ状をなす、上向きの係止部２８Ｂが一体に形成されている。また操作ノブ２８の表面には球面状の凹部２８Ｃが形成されており、この凹部２８Ｃにオペレータ−の指先を当てて、操作ノブ２８が操作される。
【００２６】
前記栓体５の上部分５Ｕには、前記操作ノブ２８の係止部２８Ｂに対向するように、係止孔３０が穿設されており、この係止穴３０に操作ノブ２８の係止部２８Ｂが係脱可能に係止される。
【００２７】
図２に示すように、レバー部材２６の自由状態では、その基端（上端）の止水部２６Ａの尖端は、導水パイプ１０の外面に当接されており、この導水パイプ１０の弾性により、レバー部材２６は、開き位置（図２位置）に保持され、導水パイプ１０は連通状態に保たれる。図２矢印Ａに示すように、レバー部材２６を栓体５に向けて押圧すれば、レバー部材２６を枢軸２７回りに閉じ方向に回動して、操作ノブ２８の軸部２８Ａは係止孔３０に嵌入される。ここで操作ノブ２８を取付孔２６Ｂに沿って上方、すなわち栓体５の抜き取り方向に移動させると、係止部２８Ｂが係止孔３０に係止されて、レバー部材２６は閉じ位置に保持され、止水部２６Ａは導水パイプ１０の途中を押し潰してその導水パイプ１０を閉じる（図１１参照）。
【００２８】
つぎに、図８〜１４を参照して、この実施例の作用について説明する。
【００２９】
(1) 図８に示すように、取出容器１と吸上パイプ２０とを導水パイプ１０をもって連通接続して、空の取出容器１を水槽Ｔよりも低位置に設置する。このとき、止水手段２５は、導水パイプ１０の弾性により開き位置に保持されている。吸上パイプ２０の把手部分２２を把持して、その吸上パイプ２０の先端部を水槽Ｔ内に差し込み、その吸上パイプ２０内に水槽Ｔ内の水を進入させ、その開口端を、水槽Ｔ内の底部の汚れたところに位置させる。
【００３０】
(2) つぎに、図９（Ａ）白ぬき矢印Ｆに示すように、取出容器１の胴部２を把持して押圧力をもって内方に押圧する。これにより、該容器１内のエアは、図９点線矢印ａに示すように、導水パイプ１０を通って外部に放出されて取出容器１内の容積が減少される。ここで、前記押圧力を解除すると、取出容器１の胴部２は図９（Ｂ）白ぬき矢印Ｆ′に示すように、自己の弾性力により復元し、取出容器１の容積が元に戻るので、図８矢印ａに示すように、取出容器１内のエアをエアパイプ１２を通して外気に放出しながら、水Ｔ内の貯留水は、図８矢印ｂに示すようにサイフォン作用により魚糞、残餌などの汚物と共に吸上パイプ１０より導水パイプ１０を通って取出容器１内に連続的に回収される。
【００３１】
(3) 図１０に示すように、取出容器１内が水位がアッパレベルに達すれば、フロート弁１６が上昇して接続パイプ８、すなわちエアパイプ１２を閉じるに至り、取出容器１内への水の吸い上げが停止される。
【００３２】
(4) 取出容器１内の水位がアッパレベルに達して満杯になり、なお、水槽Ｔ内の水の取出を継続する場合、たとえば、水槽Ｔに容積が大きい場合には、図２，１１矢印Ａに示すように、止水操作手段２５のレバー部材２６を閉じ方向に回動すれば、図１１に示すように、該レバー部材２６の止水部２６Ａが導水パイプ１０の途中を押し潰して閉じ、導水パイプ１０内の水の流れを止めると共に操作ノブ２８の軸部２８Ａが係止孔３０内に嵌入する。ここで、操作ノブ２８を図１１矢印Ｂ方向（上方向）に移動させてレバー部材２６を栓体５に係止させたのち、さらにレバー部材２６を栓体５と共に同方向に引上げれば、図１４に示すように、栓体５を取出容器１の出入口３から抜き取ることができる。このとき、前述のように、導水パイプ１０は、その途中が止水操作部材２５により閉じているので、導水パイプ１０内の残留水が外部に滴下することがなく、水槽Ｔのまわりを水で汚損することがない。
【００３３】
(5) つぎに、取出容器１内の水を廃棄して空になった取出容器１、あるいは他の空の取出容器１の出入口３に、栓体５を差込み接続して、前記(1) 〜(3) の作用にて、水槽Ｔ内の水の取出作業を継続することができる。
【００３４】
(6) 以上、(1) 〜(5) の動作を繰り返すことにより、水槽Ｔ内の所定量の貯留水を汚物と共に取り出すことができ、水槽Ｔ内の清掃を行なうことができる。
【００３５】
なお、取出容器１の水の収容容量は一定であるので、水槽Ｔより吸い上げられる水の流量を容易に知ることできる。
【００３６】
なお、前記実施例では、本発明における水容器として、観賞魚用に水槽を用いた場合を説明したが、本発明は他の一般の水容器内の貯留水の取出に適用できることは勿論であり、また、本発明の前記取出容器として、市販のペットボットルを用いることができる。さらに前記実施例では弁体としてフロート弁を用いた場合を説明したが、これに代えて、フラップ弁など他の弁体を用いてもよい。また前記栓体は、出入口に螺着されるキャップであってもよい。
【図面の簡単な説明】
【００３７】
【図１】水槽内の貯留水の取出装置の全体側面図
【図２】図１の２矢視仮想線囲い部分の拡大断面図
【図３】図１の３矢視仮想線囲い部分の拡大断面
【図４】図２の４−４線に沿う断面図
【図５】図２の５−５線に沿う断面図
【図６】図２の６−６線に沿う断面図
【図７】図２の７−７線に沿う断面図
【図８】貯留水の取出装置を水槽にセットした状態を示す図
【図９】水槽内の貯留水の取出装置の作用図
【図１０】取出容器内に水が満杯になったときの貯留水の取出装置の部分断面図
【図１１】導水パイプを閉じた状態を示す貯溜水の取出装置の部分断面図
【図１２】図１１の１２−１２線に沿う断面図
【図１３】図１１の１３−１３線に沿う断面図
【図１４】栓体を取出容器から抜き取った状態を示す図
【符号の説明】
【００３８】
１・・・・・・・・・・・取出容器
３・・・・・・・・・・・出入口
５・・・・・・・・・・・栓体
９・・・・・・・・・・・エア室
１０・・・・・・・・・・・導水パイプ
１２・・・・・・・・・・・エアパイプ
２０・・・・・・・・・・・吸上パイプ
２５・・・・・・・・・・・止水操作手段
２６・・・・・・・・・・・レバー部材
２６Ａ・・・・・・・・・・止水部
２８・・・・・・・・・・・操作ノブ
Ｔ・・・・・・・・・・・水容器（水槽）
【図１】
2009060796.tif 000003
【図２】
2009060796.tif 000004
【図３】
2009060796.tif 000005
【図４】
2009060796.tif 000006
【図５】
2009060796.tif 000007
【図６】
2009060796.tif 000008
【図７】
2009060796.tif 000009
【図８】
2009060796.tif 000010
【図９】
2009060796.tif 000011
【図１０】
2009060796.tif 000012
【図１１】
2009060796.tif 000013
【図１２】
2009060796.tif 000014
【図１３】
2009060796.tif 000015
【図１４】
2009060796.tif 000016